(57)【要約】【課題】バーナＯＮ／ＯＦＦ制御による温調を行うことにより、使用可能期間が短くなることを抑制した温水循環システムを提供する。【解決手段】温水端末３から温水循環路４に戻る温水の温度Ｔs2が所定温度範囲となるように、ガス元弁６１ｃと第１能力開閉弁６１ａ及び第２能力切替弁６１ｂとを開閉してガスバーナ２１を断続的に燃焼させるバーナＯＮ／ＯＦＦ制御と、比例弁７により燃料ガスの供給流量を変更してガスバーナ２１を継続的に燃焼させるバーナ火力制御とを、選択的に実行する燃焼制御部１１と、ガス元弁６１ｃの累積開閉回数が所定の判定回数以上となったときに、バーナＯＮ／ＯＦＦ制御の実行を禁止するバーナＯＮ／ＯＦＦ制御禁止部１４とを備える。【選択図】  図２
2012078060.tif 000002
【特許請求の範囲】
【請求項１】
ガスバーナと、
前記ガスバーナに接続されたガス供給管に設けられて、該ガス供給管を開閉するガス開閉弁と、
前記ガス供給管に設けられて、前記ガスバーナへの燃料ガスの供給流量を変更するガス量変更弁と、
前記ガスバーナにより加熱される熱交換器と、
前記熱交換器と温水端末とを連通する温水循環路と、
前記熱交換器により加熱された温水を前記温水循環路を介して前記温水端末に送出すると共に、前記温水端末で放熱した温水を前記熱交換器に戻す循環ポンプと、
前記温水循環路から前記温水端末に供給される温水の温度、又は前記温水端末から前記温水循環路に戻る温水の温度が所定温度範囲となるように、前記開閉弁を開閉して前記ガスバーナを断続的に燃焼させるバーナＯＮ／ＯＦＦ制御と、前記ガス量変更弁により燃料ガスの供給流量を変更して前記ガスバーナを連続的に燃焼させるバーナ火力制御とを、選択的に実行する燃焼制御部と
を備えた温水循環システムにおいて、
前記ガス開閉弁の開閉回数を累積し、該開閉回数の累積値が所定の判定回数以上となったときに、前記バーナＯＮ／ＯＦＦ制御の実行を禁止するバーナＯＮ／ＯＦＦ制御禁止部を備えたことを特徴とする温水循環システム。
【請求項２】
請求項１記載の温水循環システムにおいて、
前記温水循環システムへの通電時間を累積し、該通電時間の累積値が所定時間以下であるときは、前記判定回数を第１判定回数に設定し、該作動時間の累積値が該所定時間を越えたときには、前記判定回数を、該第１判定回数よりも多く、且つ、該通電時間の累積値が長くなるに従って増加させた第２判定回数に設定する判定回数設定部を備えたことを特徴とする温水循環システム。
【請求項３】
ガスバーナと、
前記ガスバーナに接続されたガス供給管に設けられて、該ガス供給管を開閉するガス開閉弁と、
前記ガス供給管に設けられて、前記ガスバーナへの燃料ガスの供給流量を変更するガス量変更弁と、
前記ガスバーナにより加熱される熱交換器と、
前記熱交換器と温水端末とを連通する温水循環路と、
前記熱交換器により加熱された温水を前記温水循環路を介して前記温水端末に送出すると共に、前記温水端末で放熱した温水を前記熱交換器に戻す循環ポンプと、
前記温水循環路から前記温水端末に供給される温水の温度、又は前記温水端末から前記温水循環路に戻る温水の温度が所定温度範囲となるように、前記開閉弁を開閉して前記ガスバーナを断続的に燃焼させるバーナＯＮ／ＯＦＦ制御と、前記ガス量変更弁により燃料ガスの供給流量を変更して前記ガスバーナを連続的に燃焼させるバーナ火力制御とを、選択的に実行する燃焼制御部と
を備えた温水循環システムにおいて、
前記バーナＯＮ／ＯＦＦ制御による前記ガスバーナの燃焼時間を累積し、該燃焼時間の累積値が所定の判定燃焼時間以上となったときに、前記バーナＯＮ／ＯＦＦ制御の実行を禁止するバーナＯＮ／ＯＦＦ制御禁止部を備えたことを特徴とする温水循環システム。
【請求項４】
請求項３記載の温水循環システムにおいて、
前記温水循環システムへの通電時間を累積し、該通電時間の累積値が所定時間以下であるときは、前記判定燃焼時間を第１判定燃焼時間に設定し、該通電時間の累積値が該所定時間を超えたときには、前記判定燃焼時間を、該第１判定燃焼時間よりも短く、且つ、該通電時間の累積値が長くなるに従って増加させた第２判定燃焼時間に設定する判定燃焼時間設定部を備えたことを特徴とする温水循環システム。
【発明の詳細な説明】
【技術分野】
【０００１】
本発明は、加熱した温水を温水端末に供給して放熱させる温水循環システムに関する。
【背景技術】
【０００２】
従来より、ガス熱源機と、このガス熱源機と温水端末とを連通した温水循環路と、温水循環路内の温水を循環させるポンプとを備えて、ガス熱源機により加熱された温水を温水端末に供給して放熱させる温水循環システムが知られている（例えば、特許文献１参照）。
【０００３】
特許文献１に記載されたガス熱源機においては、温水循環路の途中に設けられた熱交換器をガスバーナで加熱することによって、温水循環路内の温水を加熱する。そして、暖房運転時には、ガス熱源機から温水循環路に出湯される湯の温度が目標温度範囲となるように、ガスバーナの燃焼量を調節している。
【０００４】
特許文献１に記載されたガス熱源機のガスバーナは、加熱能力が異なる２個のバーナユニット（大バーナユニット、小バーナユニット）により構成され、燃焼させるバーナユニットの個数により、ガスバーナの有効燃焼範囲を３段階（大バーナユニットと小バーナユニットを共に燃焼させる大の段階、大バーナユニットのみを燃焼させる中の段階、小バーナユニットのみを燃焼させる小の段階）に切替えている。
【０００５】
そして、大・中・小の各段階で、熱交換器の熱効率が最良となる燃焼量で、所定周期でのガスバーナ（大バーナユニット及び小バーナユニット）の燃焼時間と消火時間との比を変更するバーナＯＮ／ＯＦＦ制御を行っている。ここで、小の段階でバーナＯＮ／ＯＦＦ制御を行うことで、ガスバーナの燃焼量の低燃焼側の制御範囲を拡大することができる。
【０００６】
また、特許文献１に記載されたガス熱源機のガスバーナは、各バーナユニットへの燃焼用空気の供給を共通のファンにより一括して行っている。そのため、中及び小の段階では、消火状態にあるバーナユニット側にも燃焼用空気が供給され、この燃焼用空気が燃焼中のバーナの燃焼排ガスと混合される。その結果、熱交換器を経由して流通する燃焼排ガスの温度が低下して熱交換器の熱効率が低下する。
【０００７】
そこで、特許文献１に記載されたガス熱源機では、大・中・小の各段階でのバーナＯＮ／ＯＦＦ制御を大→中→小の優先順位で行うことにより、大・中・小の各段階でガスバーナを常時燃焼させる比例制御により温調を行う場合よりも、熱交換器の熱効率を高めている。
【先行技術文献】
【特許文献】
【０００８】
【特許文献１】特開２００７−２８５６２５号公報
【発明の概要】
【発明が解決しようとする課題】
【０００９】
上述したバーナＯＮ／ＯＦＦ制御を実行する場合、バーナに連通したガス供給管に設けられた開閉弁を開閉して、バーナを燃焼状態と消火状態に切替えるため、開閉弁にはバーナＯＮ／ＯＦＦ制御による頻繁な開閉に対応した耐久性が求められる。
【００１０】
そのため、バーナＯＮ／ＯＦＦ制御を行わずに、バーナの火力を変更して熱源機から供給する温水の温度を制御する場合に比べて、温水循環システムの使用可能期間が短くなってしまう、という不都合があった。
【００１１】
本発明はかかる背景を鑑みてなされたものであり、バーナＯＮ／ＯＦＦ制御による温調を行うことにより、使用可能期間が短くなることを抑制した温水循環システムを提供することを目的とする。
【課題を解決するための手段】
【００１２】
本発明は上記目的を達成するためになされたものであり、ガスバーナと、前記ガスバーナに接続されたガス供給管に設けられて、該ガス供給管を開閉するガス開閉弁と、前記ガス供給管に設けられて、前記ガスバーナへの燃料ガスの供給流量を変更するガス量変更弁と、前記ガスバーナにより加熱される熱交換器と、前記熱交換器と温水端末とを連通する温水循環路と、前記熱交換器により加熱された温水を前記温水循環路を介して前記温水端末に送出すると共に、前記温水端末で放熱した温水を前記熱交換器に戻す循環ポンプと、前記温水循環路から前記温水端末に供給される温水の温度、又は前記温水端末から前記温水循環路に戻る温水の温度が所定温度範囲となるように、前記開閉弁を開閉して前記ガスバーナを断続的に燃焼させるバーナＯＮ／ＯＦＦ制御と、前記ガス量変更弁により燃料ガスの供給流量を変更して前記ガスバーナを連続的に燃焼させるバーナ火力制御とを、選択的に実行する燃焼制御部とを備えた温水循環システムに関する。
【００１３】
そして、第１発明は、前記ガス開閉弁の開閉回数を累積し、該開閉回数の累積値が所定の判定回数以上となったときに、前記バーナＯＮ／ＯＦＦ制御の実行を禁止するバーナＯＮ／ＯＦＦ制御禁止部を備えたことを特徴とする。
【００１４】
第１発明によれば、前記ガス開閉弁の開閉回数の累積値が前記判定回数以上となったときに、前記バーナＯＮ／ＯＦＦ制御禁止部により、前記バーナＯＮ／ＯＦＦ制御が禁止される。そして、以後は前記バーナ火力制御のみが実行されて、前記バーナＯＮ／ＯＦＦ制御に伴う前記開閉弁の累積開閉回数の増加が回避される。そのため、バーナＯＮ／ＯＦＦ制御を継続することにより前記開閉弁の累積開閉回数が耐用回数を超えるまでの期間が短くなって、温水循環システムの使用可能期間が短くなることを抑制することができる。
【００１５】
また、第１発明において、前記温水循環システムへの通電時間を累積し、該通電時間の累積値が所定時間以下であるときは、前記判定回数を第１判定回数に設定し、該作動時間の累積値が該所定時間を越えたときには、前記判定回数を、該第１判定回数よりも多く、且つ、該通電時間の累積値が長くなるに従って増加させた第２判定回数に設定する判定回数設定部を備えたことを特徴とする（第２発明）。
【００１６】
第２発明によれば、前記温水循環システムへの通電時間が短く、且つ、前記開閉弁の累積開閉回数が多いときは、前記バーナが頻繁にＯＮ／ＯＦＦ制御されている可能性がある。そこで、前記判定回数設定部により、温水循環システムへの累積通電時間に応じた前記判定回数を設定することによって、前記開閉弁の累積開閉回数の増加を抑えて、温水循環システムの使用可能期間を確保することができる。
【００１７】
次に、第３発明は、前記バーナＯＮ／ＯＦＦ制御による前記ガスバーナの燃焼時間を累積し、該燃焼時間の累積値が所定の判定燃焼時間以上となったときに、前記バーナＯＮ／ＯＦＦ制御の実行を禁止するバーナＯＮ／ＯＦＦ制御禁止部を備えたことを特徴とする。
【００１８】
第３発明によれば、前記バーナＯＮ／ＯＦＦ制御による前記ガスバーナの燃焼時間の累積値が前記判定燃焼時間以上となった場合は、前記開閉弁の累積開閉回数が多くなっていると想定される。そして、このまま前記バーナＯＮ／ＯＦＦ制御による前記ガスバーナの燃焼を継続すると、温水循環システムが想定する使用可能期間が満了する前に、前記開閉弁の累積開閉回数が耐用回数に達するおそれがある。そこで、この場合には、前記バーナＯＮ／ＯＦＦ制御を禁止することによって、前記開閉弁の累積開閉回数の増加を抑えて、温水循環システムの使用可能期間が短くなることを抑制することができる。
【００１９】
また、第３発明において、前記温水循環システムへの通電時間を累積し、該通電時間の累積値が所定時間以下であるときは、前記判定燃焼時間を第１判定燃焼時間に設定し、該通電時間の累積値が該所定時間を超えたときには、前記判定燃焼時間を、該第１判定燃焼時間よりも短く、且つ、該通電時間の累積値が長くなるに従って増加させた第２判定燃焼時間に設定する判定燃焼時間設定部を備えたことを特徴とする（第４発明）。
【００２０】
第４発明によれば、前記判定燃焼時間設定部により、温水循環システムへの累積通電時間に応じた前記判定燃焼時間を設定することによって、前記開閉弁の累積開閉回数の増加を抑えて、温水循環システムの使用可能期間を確保することができる。
【図面の簡単な説明】
【００２１】
【図１】温水循環システムの構成図。
【図２】図１に示したコントローラの構成図。
【図３】燃焼制御部の第１実施形態の作動フローチャート。
【図４】バーナＯＮ／ＯＦＦ制御域の説明図。
【図５】燃料制御部の第２実施形態の作動フローチャート。
【発明を実施するための形態】
【００２２】
本発明の実施形態について、図１〜図４を参照して説明する。図１を参照して、本実施形態の温水循環システム１は、ガス熱源機２、温水暖房端末３（本発明の温水端末に相当する）、ガス熱源機２と温水暖房端末３とを連通する温水循環路４、及び、温水循環システム１の全体的な作動を制御するコントローラ１０とを備えている。
【００２３】
ガス熱源機２には、大・小二つの燃焼面を形成する大バーナユニット２１ａ及び小バーナユニット２１ｂからなるガスバーナ２１、ガスバーナ２１に点火するための点火電極３１、点火電極３１に高電圧を印加して火花放電を生じさせるイグナイタ３０、ガスバーナ２１の燃焼炎を検出するフレームロッド３２、ガスバーナ２１により加熱される熱交換器２２、ガスバーナ２１に燃焼用空気を供給するファン２３、及び、ファン２３により燃焼用空気を取り込むと共にガスバーナ２１の燃焼排ガスを排気する給排気管２４が備えられている。
【００２４】
温水循環システム１は、ガスバーナ２１の燃焼排ガスにより熱交換器２２内を流通する温水を加熱し、この温水を温水暖房端末３に供給して放熱させることにより、温水暖房端末３の周囲を暖房する。
【００２５】
温水循環路４には、熱交換器２２により加熱された温水を温水暖房端末３に送出すると共に、温水暖房端末３で放熱した温水を熱交換器２２に戻す循環ポンプ４ａと、ガス熱源機２から温水循環路４に出湯される温水の温度を検出する往き温度センサ４ｂと、温水暖房端末３からガス熱源機２に戻る温水の温度を検出する戻り温度センサ４ｃとが備えられている。
【００２６】
ガス供給路６１から分岐してガスバーナ２１と接続されたガス分岐路６１ａ，６１ｂには、大バーナユニット２１ａ，小バーナユニット２１ｂへの燃料ガスの供給／遮断を個別に切替える第１能力切替弁６２ａ及び第２能力切替弁６２ｂが設けられている。また、ガス供給路６１には、大バーナユニット２１ａ，小バーナユニット２１ｂへの燃料ガスの供給／遮断を一括して切替えるガス元弁６１ｃと、大バーナユニット２１ａ，小バーナユニット２１ｂへの燃料ガスの供給流量を変更する比例弁７とが設けられている。
【００２７】
なお、ガス元弁６１ｃは本発明の開閉弁に相当する。また、比例弁７は本発明のガス量変更弁に相当する。また、第１能力切替弁６２ａ及び第２能力切替弁６２ｂは、本発明の開閉弁及びガス量変更弁に相当する。
【００２８】
また、コントローラ１０には、リモコン５が接続されており、使用者は、リモコン５に設けられたスイッチを操作して、温水暖房端末３の暖房運転の開始／停止や暖房能力の設定を行なう。
【００２９】
次に、図２を参照して、コントローラ１０は、図示しないＣＰＵ，メモリ等により構成された電子ユニットであり、ＣＰＵに温水循環システム１の制御用プログラムを実行させることによって、コントローラ１０は、熱交換器２２により加熱した温水を温水暖房端末３に供給する暖房運転を行なう燃焼制御部１１、バーナＯＮ／ＯＦＦ制御の禁止を判断するための判定回数を設定する判定回数設定部１２、バーナＯＮ／ＯＦＦ制御の禁止を判断するための判定燃焼時間を設定する判定燃焼時間設定部１３、及び、判定回数又は判定燃焼時間に基づいてバーナＯＮ／ＯＦＦ制御の禁止を判断するバーナＯＮ／ＯＦＦ制御禁止部１４として機能する。
【００３０】
コントローラ１０には、往き温度センサ４ｂの温度検出信号と、戻り温度センサ４ｃの温度検出信号と、フレームロッド３２の炎検出信号とが入力される。また、コントローラ１０から出力される制御信号によって、循環ポンプ４ａ、ファン２３、イグナイタ３０を介した点火電極３１、比例弁７、ガス元弁６１ｃ、第１能力切替弁６２ａ、及び、第２能力切替弁６２ｂの作動が制御される。
【００３１】
また、コントローラ１０は、リモコン５から出力される暖房スイッチ５ｂの操作信号等を入力すると共に、リモコン５に表示部５ａの表示データを出力して温水循環システム１の運転状況等を表示部５ａに表示させる。
【００３２】
燃焼制御部１１は、第１能力切替弁６２ａと第２能力切替弁６２ｂを開閉して、ガスバーナ２１の有効燃焼範囲（燃焼面の範囲）を大・中・小の３段階に切替える。即ち、燃焼制御部１１は、第１能力切替弁６２ａと第２能力切替弁６２ｂを共に開弁することで、大バーナユニット２１ａと小バーナユニット２１ｂを共に燃焼させる有効燃焼範囲大の段階と、第１能力切替弁６２ａを開弁して第２能力切替弁６２ｂを閉弁することで、大バーナユニット２１ａのみを燃焼させる有効燃焼範囲中の段階と、第１能力切替弁６２ａを閉弁して第２能力切替弁６２ｂを開弁することで、小バーナユニット２１ｂのみを燃焼させる有効燃焼範囲小の段階とを切替える。さらに、燃焼制御部１１は、有効燃焼範囲大・中・小の各段階で、比例弁７の開度を変更することで、ガスバーナ２１の火力を調節する。
【００３３】
また、燃焼制御部１１は、バーナＯＮ／ＯＦＦ制御とバーナ火力制御のいずれかにより、暖房運転を実行する。バーナＯＮ／ＯＦＦ制御では、燃焼制御部１１は、ガスバーナ２１の有効燃焼範囲を大（第１能力切替弁６２ａと第２能力切替弁６２ｂを共に開弁）として、ガスバーナ２１の燃焼と消火を切替える。
【００３４】
具体的には、戻り温度センサ４ｃの検出温度Ｔs2がバーナ消火温度ＴOFF以上になったときに、ガス元弁６１ｃと第１能力切替弁６２ａ及び第２能力切替弁６２ｃを閉弁してガスバーナ２１を消火し、戻り温度センサ４ｃの検出温度Ｔs2がバーナ点火温度ＴON以下になったときに、ガス元弁６１ｃと第１能力切替弁６２ａ及び第２能力切替弁６２ｃを開弁してガスバーナ２１に点火する処理を繰り返して、温水暖房端末３から戻る温水の温度がＴON〜ＴOFFの範囲に保たれるようにする。
【００３５】
一方、バーナ火力制御では、燃焼制御部１１は、戻り温度センサ４ｃの検出温度Ｔs2が所定温度範囲となるように、ガス元弁６１を開弁してガスバーナ２１を燃焼状態に維持し、第１能力切替弁６２ａ及び第２能力切替弁６２ｂの開閉によりガスバーナ２１の有効燃焼範囲を切替えると共に比例弁７の開度を変更して、ガスバーナ２１の火力を調節することにより、温水暖房端末３に供給される温水の温度が所定範囲内となるように制御する。
【００３６】
次に、図３に示したフローチャートに従って、コントローラ１０の燃焼制御部１１、判定回数設定部１２、及びバーナＯＮ／ＯＦＦ制御禁止部１４による暖房運転実行時の処理の第１実施形態について説明する。
【００３７】
［第１実施形態］
図３のＳＴＥＰ１で、リモコン５の暖房スイッチ５ｂが操作（暖房開始操作）されたことを、リモコン５から受信した操作信号から認識すると、燃焼制御部１１は、ＳＴＥＰ２に進んでガスバーナ２１の点火処理を行う。具体的には、燃焼制御部１１は、ファン２３を作動させると共に、イグナイタ３０から点火電極３１に高電圧を印加して火花放電を生じさせた状態で、第１能力切替弁６２ａ及び第２能力切替弁６２ｂとガス元弁６１ｃを開弁して、ガスバーナ２１に点火する。
【００３８】
続くＳＴＥＰ３は、判定回数設定部１２による処理である。判定回数設定部１２は、バーナＯＮ／ＯＦＦ制御の禁止を判断するための判定値である判定回数を、図４（ａ）に示したマップに従って設定する。
【００３９】
図４（ａ）のマップは、縦軸を判定回数に設定し、横軸を温水循環システム１の使用開始時からの通電時間（コントローラ１０への通電時間）の累積値（累積通電時間）に設定して、累積通電時間に対応する判定回数を決定するものである。図４（ａ）のマップにおいては、通電時間の累積値が２６，２８０時間（３年間の使用に相当、本発明の所定時間に相当）に達するまでは、判定回数が２８万回（本発明の第１判定回数に相当する）に設定され、２６，２８０時間に達した後は、累積通電時間が長くなるに従って判定回数を漸増させている（本発明の第２判定回数に相当する）。
【００４０】
そして、これにより、累積通電時間（温水循環システム１の使用期間に相当する）が、８７，６００時間（温水循環システム１の一般的な使用可能期間である１０年間に相当）に達するまでに、ガス元弁６１ｃの開閉回数が６０万回（ガス元弁６１ｃの耐久回数以下に設定された回数）を超えないように、バーナＯＮ／ＯＦＦ制御からバーナ火力制御に切替えるようにしている。
【００４１】
次のＳＴＥＰ４はバーナＯＮ／ＯＦＦ制御禁止部１４による処理である。バーナＯＮ／ＯＦＦ制御禁止部１４は、ガス元弁６１ｃの累積開閉回数が判定回数以上であるか否かを判断する。そして、ガス元弁６１ｃの累積開閉回数が判定回数以上であったときは、バーナＯＮ／ＯＦＦ制御を禁止してＳＴＥＰ２０に分岐し、燃焼制御部１１はバーナ火力制御を行う。そして、ＳＴＥＰ２１でリモコン５の暖房スイッチ５ｂが操作（暖房停止操作）されるまで、燃焼制御部１１は、ＳＴＥＰ２０でバーナ火力制御を継続する。
【００４２】
一方、ＳＴＥＰ４で、ガス元弁６１ｃの累積開閉回数が判定回数未満であったときには、ＳＴＥＰ５に進み、燃焼制御部１１はバーナＯＮ／ＯＦＦ制御を行う。なお、燃焼制御部１１は、バーナＯＮ／ＯＦＦ制御時及びガスバーナ２１の点火，消火時におけるガス元弁６１ｃの開閉回数を累積する。そして、バーナＯＮ／ＯＦＦ制御禁止部１４は、ＳＴＥＰ４で、この累積開閉回数を判定回数と比較する。
【００４３】
続くＳＴＥＰ６でリモコン５の暖房スイッチ５ｂが操作（暖房停止操作）されるまで、ＳＴＥＰ６からＳＴＥＰ３に戻り、ＳＴＥＰ４でガス元弁６１ｃの累積開閉回数が判定回数以上となるまで、燃焼制御部１１はバーナＯＮ／ＯＦＦ制御を実行する。
【００４４】
ＳＴＥＰ６又はＳＴＥＰ２１で、リモコン５の暖房スイッチ５ｂが操作されたとき（暖房停止操作）はＳＴＥＰ７に進み、燃焼制御部１１はガス元弁６１ｃを閉弁し、次のＳＴＥＰ８で第１能力切替弁６２ａと第２能力切替弁６２ｂを閉弁してＳＴＥＰ９に進み、処理を終了する。
【００４５】
図３に示したフローチャートの処理によれば、ガス元弁６１ｃの累積開閉回数がある程度のレベルに達したときに、バーナＯＮ／ＯＦＦ制御を禁止してバーナ火力制御に切替えることにより、温水循環システム１の一般的な使用可能期間が経過する前に、ガス元弁６１ｃの累積開閉回数が耐用回数を超えてしまうことを回避することができる。
【００４６】
［第２実施形態］
次に、図５に示したフローチャートに従って、コントローラ１０の燃焼制御部１１、判定燃焼時間設定部１２、及びバーナＯＮ／ＯＦＦ制御禁止部１４による暖房運転実行時の処理の第２実施形態について説明する。
【００４７】
図５のＳＴＥＰ３０〜ＳＴＥＰ３１は図３のＳＴＥＰ１〜ＳＴＥＰ２と同様であり、また、図５のＳＴＥＰ３６〜ＳＴＥＰ３８は図３のＳＴＥＰ７〜ＳＴＥＰ９と同様であるので、ここでは説明を省略し、ＳＴＥＰ３２〜ＳＴＥＰ３５及びＳＴＥＰ５０〜ＳＴＥＰ５１の処理について説明する。
【００４８】
ＳＴＥＰ３２は判定燃焼時間設定部１３による処理である。判定燃焼時間設定部１３は、バーナＯＮ／ＯＦＦ制御からバーナ火力制御への切替の判定値である判定燃焼時間を、図４（ｂ）に示したマップに従って設定する。
【００４９】
図４（ｂ）のマップは、縦軸を判定燃焼時間（ｈ）に設定し、横軸を温水循環システム１の使用開始時からの通電時間（コントローラ１０への通電時間）の累積値（累積通電時間）に設定して、累積通電時間に対応する判定燃焼時間を決定するものである。図４（ｂ）のマップにおいては、通電時間の累積値が２６，２８０時間（３年間の使用に相当、本発明の所定時間に相当）に達するまでは、判定燃焼時間が７，０００時間（本発明の第１判定燃焼時間に相当する）に設定され、２６，２８０時間に達した後は、累積通電時間が長くなるに従って判定燃焼時間を漸増させている（本発明の第２判定燃焼時間に相当する）。ここで、ガスバーナ２１の累積燃焼時間が７，０００時間以上となれば、暖房運転が頻繁に行なわれていると予想される。
【００５０】
そして、これにより、コントローラ１０の累積通電時間（温水循環システム１の使用期間に相当する）が、８７，６００時間（温水循環システム１の一般的な使用可能期間である１０年間に相当）に達するまでに、バーナＯＮ／ＯＦＦ制御によるガスバーナ２１の累積燃焼時間が６，０００時間（バーナＯＮ／ＯＦＦ制御を行ったときに、ガス元弁６１ｃの累積開閉回数が６０万回（ガス元弁６１ｃの耐用開閉回数以下に設定された回数）に達すると想定される時間）を超えないように、バーナＯＮ／ＯＦＦ制御からバーナ火力制御に切替えるようにしている。
【００５１】
次のＳＴＥＰ３３はバーナＯＮ／ＯＦＦ制御禁止部１４による処理である。バーナＯＮ／ＯＦＦ制御禁止部１４は、ガスバーナ２１のＯＮ／ＯＦＦ制御による累積燃焼時間が判定燃焼時間以上であるか否かを判断する。そして、ガスバーナ２１のバーナＯＮ／ＯＦＦ制御による累積燃焼時間が判定燃焼時間以上であったときは、バーナＯＮ／ＯＦＦ制御を禁止してＳＴＥＰ５０に分岐し、燃焼制御部１１はバーナ火力制御を行う。そして、ＳＴＥＰ５１でリモコン５の暖房スイッチ５ｂが操作（暖房停止操作）されるまで、燃焼制御部１１は、ＳＴＥＰ５０でバーナ火力制御を行う。
【００５２】
一方、ＳＴＥＰ３３で、ガスバーナ２１のバーナＯＮ／ＯＦＦ制御による累積燃焼時間が判定燃焼時間未満であったときには、ＳＴＥＰ３４に進み、燃焼制御部１１はバーナＯＮ／ＯＦＦ制御を行う。なお、燃焼制御部１１は、バーナＯＮ／ＯＦＦ制御によるガスバーナ２１の燃焼時間を累積する。そして、バーナＯＮ／ＯＦＦ制御禁止部１４は、ＳＴＥＰ３３で、この累積燃焼時間を判定燃焼時間と比較する。
【００５３】
図５に示したフローチャートによる処理によれば、バーナＯＮ／ＯＦＦ制御によるガスバーナ２１の累積燃焼時間がある程度のレベルに達したときに、バーナＯＮ／ＯＦＦ制御を禁止してバーナ火力制御に切替えることにより、温水循環システムの一般的な使用可能期間が経過する前に、ガス元弁６１ｃの累積開閉回数が耐用回数を超えてしまうことを抑制することができる。
【００５４】
なお、本実施形態では、本発明の温水端末として温水暖房端末３を示したが、ガス熱源機２から供給される温水を熱源として利用する温水端末であれば、例えば、温水を熱源として衣類乾燥用の温風を生成する衣類乾燥機等の他の種類の温水端末であってもよい。
【００５５】
また、本実施形態では、ガスバーナ２１を有効燃焼範囲大（全面燃焼）としてバーナＯＮ／ＯＦＦ制御を実行したが、有効燃焼範囲中又は有効燃焼範囲小として、バーナＯＮ／ＯＦＦ制御を実行してもよい。
【００５６】
また、本実施形態では、温水暖房専用のガス熱源機２を示したが、温水暖房用のバーナ及び熱交換器を有する暖房用加熱部と、給湯用のバーナ及び熱交換器を有する給湯用加熱部とを備えた複合タイプのガス熱源機であって、暖房用加熱部及び給湯用加熱部のガスバーナへの燃料ガスの供給と遮断を共通のガス元弁により切替えるものに対しても、本発明の適用が可能である。そして、この場合には、暖房用加熱部の暖房運転に伴うガス元弁の開閉回数と、給湯用加熱部の給湯運転に伴うガス元弁の開閉回数とを合算して、バーナＯＮ／ＯＦＦ制御の禁止を判断するためのガス元弁の累積開閉回数を算出すればよい。
【００５７】
また、本実施の形態において、燃焼制御部１１は、戻り温度センサ４ｃの検出温度Ｔs2が所定範囲内（ＴON≦Ｔs2≦ＴOFF）となるように、ガスバーナ２１を断続的に燃焼させるバーナＯＮ／ＯＦＦ制御を行ったが、往き温度センサ４ｂの検出温度Ｔs1が所定範囲内となるように、ガスバーナ２１を断続的に燃焼させるバーナＯＮ／ＯＦＦ制御を行うようにしてもよい。
【００５８】
また、本実施の形態においては、図４（ａ）に示したマップにより判定回数を決定し、また、図４（ｂ）に示したマップにより判定燃焼時間を決定したが、累積通電時間を入力して判定回数又は判定燃焼時間を算出する算出式等を用いて、判定時間又は判定燃焼時間を決定するようにしてもよい。
【００５９】
また、本実施の形態においては、大バーナユニット２１ａ及び小バーナユニットユニット２１ｂの２個のバーナユニットからなるガスバーナ２１を備えたガス熱源機２を示したが、１個のバーナユニットからなるガスバーナ、及び３個以上のバーナユニットからなるガスバーナを備えたガス熱源機であっても、バーナＯＮ／ＯＦＦ制御を行うガス熱源機であれば、本発明の適用が可能である。
【符号の説明】
【００６０】
１…温水循環システム、２…ガス熱源機、３…温水暖房端末、４…温水循環路、４ａ…循環ポンプ、４ｂ…往き温度センサ、４ｃ…戻り温度センサ、５…リモコン、５ａ…（リモコンの）表示部、５ｂ…暖房スイッチ、１０…コントローラ、１１…燃焼制御部、１２…判定回数設定部、１３…判定燃焼時間設定部、１４…バーナＯＮ／ＯＦＦ制御禁止部、２１…ガスバーナ、２１ａ…大バーナユニット、２１ｂ…小バーナユニット、２２…熱交換器、３２…フレームロッド、６１ｃ…ガス元弁、６２ａ…第１能力切替弁、６２ｂ…第２能力切替弁。
【図１】
2012078060.tif 000003
【図２】
2012078060.tif 000004
【図３】
2012078060.tif 000005
【図４】
2012078060.tif 000006
【図５】
2012078060.tif 000007